(57)【要約】【課題】  撮像部が交換式の自動撮影式カメラにおいて、定期的な撮影時には解像度を低くして撮影し、センサー検知時などの撮影時は解像度を高くして撮影する。また、ユーザーによる設定操作を容易にするために、この解像度設定の初期状態を撮像部に応じて最適な初期値を予め設定する。【解決手段】  撮像部は撮影可能な解像度情報を備え、本体部はタイマーによる撮影時のタイマ撮影設定情報と、センサーによる撮影時のセンサー撮影設定情報を備え、ユーザーのタイマ撮影設定情報およびセンサー撮影設定情報の設定操作に先立って、撮像部の解像度情報の最小サイズをタイマ撮影時の解像度に、また最大サイズをセンサー撮影時の解像度に、それぞれ初期値を設定する。【選択図】  図１
2005167694.tif 000002
【特許請求の範囲】
【請求項１】
画像を撮影する撮影手段と、撮影した画像の画素数およびデータ量を圧縮するデータ圧縮手段と、前記撮影手段の構成と前記データ圧縮手段の構成を示す第１の設定情報を備えた第１の記憶手段と、を備えた画像撮影部を着脱可能な撮影装置であって、
任意の時間もしくは時間間隔で撮影タイミングを生成するタイマ手段と、
撮影動作を起動する外部からのトリガ入力を検出するトリガ検出手段と、
撮影した画像データを通信回線を経由して遠隔地に送信する通信手段と、
前記タイマ手段に従って撮影する時の動作設定を示す第２の設定情報と、前記トリガ検出手段に従って撮影する時の動作設定を示す第３の設定情報と、を記憶する第２の記憶手段と、
前記第１の設定情報に従って前記第２の設定情報および第３の設定情報を設定する設定手段を有することを特徴とする撮影装置。
【請求項２】
請求項１に記載の撮影装置であって、
前記第１の設定情報には画像撮影部が生成可能な複数の画像形式の情報を備え、
前記複数の画像形式の中から最小のデータ量になる画像形式を選択して前記第２の設定情報に設定し、
前記複数の画像形式の中から最大のデータ量になる画像形式を選択して前記第３の設定情報に設定する、ことを特徴とする撮影装置。
【請求項３】
請求項１に記載の撮影装置であって、
前記第１の設定情報には画像撮影部が生成可能な複数の画像形式の情報を備え、
操作者による前記第２の設定情報および第３の設定情報の設定に先立ち、前記複数の画像形式の中から最小のデータ容量になる画像形式を選択して前記第２の設定情報に初期値として設定し、
前記複数の画像形式の中から最大のデータ容量になる画像形式を選択して前記第３の設定情報に初期値として設定する、ことを特徴とする撮影装置。
【請求項４】
請求項２乃至請求項３に記載の撮影装置であって、
前記画像形式は画素サイズであることを特徴とする撮影装置。
【請求項５】
請求項２乃至請求項３に記載の撮影装置であって、
前記画像形式は異なる圧縮率の符号化方式であることを特徴とする撮影装置。
【請求項６】
請求項２乃至請求項３に記載の撮影装置であって、
前記画像形式は画像フレームレートであることを特徴とする撮影装置。
【請求項７】
画像を撮影する撮影手段と、
撮影した画像の画素数を圧縮するデータ圧縮手段と、
任意の時間もしくは時間間隔で撮影タイミングを生成するタイマ手段と、
撮影動作を起動する外部からのトリガ入力を検出するトリガ検出手段と、を備え、
前記タイマ手段に従って撮影する時の第１の画素数を、前記トリガ検出手段に従って撮影する時の第２の画素数よりも小さくすることを特徴とする撮影装置。
【請求項８】
画像を撮影する撮影手段と、
撮影した画像のデータ量を圧縮するデータ圧縮手段と、
任意の時間もしくは時間間隔で撮影タイミングを生成するタイマ手段と、
撮影動作を起動する外部からのトリガ入力を検出するトリガ検出手段と、を備え、
前記タイマ手段に従って撮影する時の第１のデータ量を、前記トリガ検出手段に従って撮影する時の第２のデータ量よりも小さくすることを特徴とする撮影装置。
【発明の詳細な説明】
【技術分野】
【０００１】
本発明は、撮影装置において、撮像部に応じた撮影画像サイズの設定および制御方法に関する。
【背景技術】
【０００２】
近年の通信技術およびデジタル画像処理技術の進歩にともない、カメラで撮影した画像をＰＨＳなどの公衆通信回線や無線ＬＡＮなどを介してインターネットに接続し、インターネット経由で遠隔地の通信端末やサーバーなどに画像を送信して遠隔地で閲覧する、というインターネットカメラが登場するようになった。
【０００３】
このようなインターネットカメラは、カメラで撮影した画像を符号化装置で符号化データにデータ圧縮し、そしてＰＨＳなどを用いて公衆無線回線に接続し、ＰＰＰ（Ｐｏｉｎｔ−ｔｏ−Ｐｏｉｎｔ  Ｐｒｏｔｏｃｏｌ）などの手順を用いてインターネットサービス業者のアクセスポイント経由でインターネットに接続し、符号化データをインターネット経由で遠隔地の端末にメール送信したり、サーバーに転送したりする。
【０００４】
インターネット上のサーバーに転送されたデータは、インターネットに接続したＰＣなどからアクセスし、予め設定してある認証処理によって許可されたユーザーのみが閲覧できるようになっている。
【０００５】
このような画像通信装置は、近年のセキュリティー意識の高まりから、個人向けの遠隔監視カメラとしての使用方法が提案されている。
【０００６】
このような監視カメラでは、タイマー設定により予め定めた時間や時間間隔毎に映像を撮影して蓄積もしくは送信したり、ドアや窓などに取り付けた外部センサーなどからのトリガ入力に同期して映像を撮影して蓄積もしくは送信する、という動作になる。
【０００７】
さらに近年では、さまざまな用途に対応するために、特許文献１のように、用途に応じてカメラ部を交換可能に構成し、交換されたカメラ部に応じた画像処理を行うことが提案されている。
【０００８】
カメラ部交換式のカメラでは、例えば、風景を撮影したいのであれば広角レンズを備えたカメラ部に交換し、ペットなどの観察に使用したいのであれば、望遠レンズを備えたカメラ部に交換し、部屋の中などをくまなく監視したいのであればズームレンズを備えたカメラ部に交換し、暗い夜間の監視に使用したいのであれば赤外線カメラに交換する、といった使用方法が可能になる。
【特許文献１】特開平１１−３４６３２５号公報
【発明の開示】
【発明が解決しようとする課題】
【０００９】
カメラ部交換式のカメラは、カメラ部を交換する毎に操作者がカメラ本体に利用可能な撮影画像のサイズを操作マニュアルなどを見ながら選択して設定する必要がある。
【００１０】
画像を定期的に撮影するタイマ撮影では同じ画面を何回も撮影することから、一般的に画質の高精細さよりもその場の雰囲気が伝わればよいので、操作者が接続してあるカメラで利用可能な画像サイズのなかで、より小さいサイズを選択する。
【００１１】
また、センサー検出による撮影では、一度きりのタイミングでの撮影である為、一般的に高精細な画像を撮影するために、操作者が接続してあるカメラで利用可能な画像サイズのなかで、より大きいサイズを選択する。
【００１２】
しかし、一般ユーザーのなかには操作に不慣れで、設定可能な画像サイズではない画像サイズを選択してしまったり、設定が面倒で画像サイズの設定をしないまま使用してしまう為にカメラ部を交換したにもかかわらずいつも同じ画像サイズで撮影してしまう、などでカメラ部交換によるメリットが生かされない、という不具合があった。
【課題を解決するための手段】
【００１３】
上記課題を解決するために本発明は、画像を撮影する撮影手段と、撮影した画像の画素数およびデータ量を圧縮するデータ圧縮手段と、前記撮影手段の構成と前記データ圧縮手段の構成を示す第１の設定情報を備えた第１の記憶手段と、を備えた画像撮影部を着脱可能な撮影装置であって、任意の時間もしくは時間間隔で撮影タイミングを生成するタイマ手段と、撮影動作を起動する外部からのトリガ入力を検出するトリガ検出手段と、撮影した画像データを通信回線を経由して遠隔地に送信する通信手段と、前記タイマ手段に従って撮影する時の動作設定を示す第２の設定情報と、前記トリガ検出手段に従って撮影する時の動作設定を示す第３の設定情報と、を記憶する第２の記憶手段と、前記第１の設定情報に従って前記第２の設定情報および第３の設定情報を設定する設定手段を有することを特徴とする。
【００１４】
また、画像を撮影する撮影手段と、撮影した画像の画素数を圧縮するデータ圧縮手段と、任意の時間もしくは時間間隔で撮影タイミングを生成するタイマ手段と、撮影動作を起動する外部からのトリガ入力を検出するトリガ検出手段と、を備え、前記タイマ手段に従って撮影する時の第１の画素数を、前記トリガ検出手段に従って撮影する時の第２の画素数よりも小さくすることを特徴とする。
【００１５】
また、画像を撮影する撮影手段と、撮影した画像のデータ量を圧縮するデータ圧縮手段と、任意の時間もしくは時間間隔で撮影タイミングを生成するタイマ手段と、撮影動作を起動する外部からのトリガ入力を検出するトリガ検出手段と、を備え、前記タイマ手段に従って撮影する時の第１のデータ量を、前記トリガ検出手段に従って撮影する時の第２のデータ量よりも小さくすることを特徴とする。
【発明の効果】
【００１６】
以上説明したように、本発明によれば、操作に不慣れな一般ユーザーであっても、設定可能な画像サイズではない画像サイズを選択してしまったり、設定が面倒で画像サイズの設定をしないまま使用してしまう為にカメラ部を交換したにもかかわらずいつも同じ画像サイズで撮影してしまう、ことが防止でき、カメラ部交換によるメリットを生かすことが可能になる。
【発明を実施するための最良の形態】
【００１７】
（第１実施例）
本発明による撮像部交換式撮影装置であるネットワークカメラの外観図を図１に示す。
【００１８】
１０１はベース部、１０２は標準ズームカメラヘッド、１０３は望遠カメラヘッド、１０４は広角カメラヘッド、１０５はＣＦ通信カード、１０６は接続コネクタ、１０７はＣＦカードスロット、１０８は外部トリガ入力、１０９はＳＤメモリカード、１１０はＳＤカードスロット、である。
【００１９】
１０１のベース部は接続コネクタ（１０６）部にカメラヘッド１０２からカメラヘッド１０４のいずれか１つを接続し、ＣＦカードスロット（１０７）にＣＦ通信カードを接続し、ＳＤカードスロット（１１０）にＳＤメモリカード（１０９）を接続し、カメラヘッドおよびＣＦ通信カード（１０５）の動作を制御して撮影した画像データをＳＤメモリカード（１０９）に蓄積したり、ＣＦ通信カード経由で外部にデータ転送する。
【００２０】
１０２の標準ズームカメラヘッドはズームレンズを備えた撮像カメラで、撮影した画像をＪＰＥＧ圧縮した画像データをベース部（１０１）に転送する。
【００２１】
同様に、１０２の望遠カメラヘッド（１０３）は望遠レンズを備えた撮像カメラ、１０３は広角レンズを備えた撮像カメラで、撮影した画像をＪＰＥＧ圧縮した画像データに変換し、ベース部（１０１）に転送する。
【００２２】
ＣＦ通信カード（１０５）は、ＣＦカード型の種々の無線通信カードもしくは有線通信カードが使用できるが、本実施例では無線のＰＨＳ通信カードで説明する。
【００２３】
操作者が撮影したい状況に応じてカメラヘッドを交換すると、ベース部（１０１）は接続コネクタ（１０６）に接続したカメラヘッドをその都度識別して設定可能な撮影モードを操作者に知らせる。
【００２４】
図２はカメラヘッド（１０２）とベース部（１０１）の内部ブロック構成を示した図である。
【００２５】
２０１はカメラヘッド部の動作を制御する制御部１、２０２は制御部１に接続したメモリ１、２０３はメモリ１内のプロファイルデータ、２０４はズームレンズ、２０５はＣＣＤ撮像素子、２０６はアナログ信号をデジタル信号に変換するＡＤ変換部、２０７は色データを輝度データおよび色差データに変換するＲＢＧ−ＹＣ変換部、２０８は画素数変換とＪＰＥＧ圧縮をおこなう画像圧縮部、である。
【００２６】
また、２１０はベース部（１０１）とカメラヘッドの動作を制御する制御部２、２１１は制御部２に接続したメモリ２、２１２はタイマー撮影時の動作設定を記憶したタイマ撮影プロファイル、２１３はセンサー撮影時の動作設定を記憶したセンサー撮影プロファイル、２１４は操作部、２１５は表示部、２１６はタイマー、２１７はＣＦカードスロットを備えたＣＦカードインタフェース、２１８は外部トリガ検出部、２１９はＳＤカードスロットを備えたＳＤカードｉ／ｆ、である。
【００２７】
図２のカメラヘッドは標準ズームカメラヘッド（１０２）で説明したが、望遠カメラヘッド（１０３）、広角カメラヘッド（１０４）も内部ブロックの構成は同じで、異なるのはレンズ（２０４）の構成とプロファイルデータ（２０３）と制御部１（２０１）の動作が異なっている。
【００２８】
画像圧縮部（２０８）は、画素数を間引いて任意の解像度の画像に変換する解像度変換処理と、ＪＰＥＧ方式で画像データを符号化してデータ量を圧縮するＪＰＥＧ圧縮処理を行う。
【００２９】
メモリ１（２０２）は制御部１（２０１）のワークエリアとして使用するとともに、内部にカメラヘッドの情報をプロファイルデータ（２０３）として備えている。プロファイルデータ（２０３）はカメラヘッド毎に異なるレンズ構成や画像圧縮部の機能などを示す情報で、不揮発性の領域に保存してある。
【００３０】
メモリ２（２１１）は制御部２（２１０）のワークメモリとして使用するとともに、内部にタイマー撮影時の動作設定を記憶したタイマ撮影プロファイル（２１２）と、センサー撮影時の動作設定を記憶したセンサー撮影プロファイル（２１３）を備えている。タイマ撮影プロファイル（２１２）とセンサー撮影プロファイル（２１３）は操作者による設定操作などにより、適宜変更される。
【００３１】
操作者は本ネットワークカメラの動作設定を、操作部（２１４）から操作して設定し、その設定状態は表示部（２１５）に表示される。
【００３２】
設定するパラメータとしては、時刻、メールの送信アドレス、インターネットプロバイダのアクセスポイントの電話番号、外部トリガの設定、メール送信条件の設定、カメラの撮影条件の設定、等がある。
【００３３】
タイマー（２１６）は年月日時分秒の状態を計測するカレンダ機能を備え、操作者によって設定した日時や時間、もしくは時間間隔に応じて制御部２（２１０）に割込み信号を通知する。
【００３４】
外部トリガ検出部（２１８）は外部トリガ入力（１０８）に接続した外部センサーからの検出信号を検出して、制御部２（２１０）に割込み信号で通知する。
【００３５】
外部トリガ入力（１０８）は２極の接続端子で構成されており、２極の端子間の接続がオープン状態であるか、もしくはショート状態であるか、のいずれかを外部トリガ検出部（２１８）で検出する。
【００３６】
外部トリガ入力（１０８）に接続するセンサーには、ドアの開放を検出するドアセンサーとか、光の明るさを検出して反応する光センサー、また人体の動きを検出する人体センサー、などが広く市販されており、本ネットワークカメラもそれらのセンサーを用いる。
【００３７】
ＣＦカードインタフェース（２１７）は、ＣＦカードスロット（１０７）に接続したＣＦ通信カード（１０５）を制御部２（２１０）が制御するためのインタフェースである。
【００３８】
ＣＦ通信カード（１０５）は無線公衆網であるＰＨＳ（Ｐｅｒｓｏｎａｌ  Ｈａｎｄｙｐｈｏｎｅ  Ｓｙｓｔｅｍ）網への接続機能を備えており、ＰＩＡＦＳ（ＰＨＳ  ｉｎｔｅｒｎｅｔ  ａｃｃｅｓｓ  ｆｏｒｕｍ  ｓｔａｎｄａｒｄ）プロトコルによってインターネットプロバイダのアクセスポイントに接続し、アクセスポイント経由でインターネットに接続する。
【００３９】
この通信部（１０５）を経由して、本ネットワークカメラは撮影した画像データを添付ファイルとしてメール添付し、予め設定してある宛先にインターネット経由でメール送信することが出来る。
【００４０】
次に、カメラヘッド（１０２〜１０４）内のプロファイルデータ（２０３）について説明する。
【００４１】
図３はプロファイルデータ（２０３）の構成を詳細に示した図で、種々の情報ブロック（３０１〜３０４）が、情報のタイプ（３０５、３１０、３１５、３２３）と情報長（３０６、３１１、３１６、３２４）および情報要素（３０７〜３０９、３１２〜３１４、３１７〜３２２、３２５〜３２７）で構成されている様子を示している。
【００４２】
情報ブロックは必要に応じて順次追加され、情報ブロックの終わりには連鎖の終了を示す情報タイプＥＮＤ（３２８）とデータ長が０であることを示す情報（３２９）が入っている。
【００４３】
最初の情報ブロック（３０１）はカメラヘッドのモデルを示す情報のブロックで、情報長は３である。１つめの情報は交換式カメラヘッドの種類を示すタイプ情報、２つめの情報はカメラヘッドの型番、そして３つめの情報はカメラヘッドの個々のシリアル番号である製造番号、がそれぞれ入っている。
【００４４】
次の情報ブロック（３１０）にはレンズの画各（３１０）に関する情報が３種（３１１）入っており、１つめがレンズの種類の情報で、標準ズームカメラヘッド（１０２）の場合はズームレンズを示す情報（３１２）が入り、つづいてズーム機能の最大画角の情報（３１３）と最小画角の情報（３１４）が入っている。
【００４５】
次の情報ブロック（３０３）には画像圧縮部（２０８）で生成可能な画素数（３１５）に関する情報が入っている。画素数の情報は水平画素数と垂直画素数の２つでペアになっていて、本実施例では３種の画素数（３１７〜３２２）に対応しているので情報長は６（３１６）になる。
【００４６】
次の情報ブロック（３０４）にはカメラヘッド部（１０２）の撮影処理時間（３２３）に関する情報が３種入っている。１つめはベース部（１０１）から撮影制御された時のカメラヘッド部のシャッター応答時間（３２５）、２つめが画像圧縮部（２０８）で撮影画像をＪＰＥＧ圧縮するのに必要な画像処理時間（３２６）、３つめが繰り返し撮影をする時の最小撮影間隔（３２７）、である。
【００４７】
その他にも、動作電源電圧、消費電流、プログラムのバージョン、などの情報が入り、最後に終了を示すＥＮＤ情報（３２８）が入っている。
【００４８】
上述のプロファイルデータ（２０３）は、制御部２（２１０）からの要求に従い制御部１（２０１）がメモリ１（２０２）から読み出して通知する。
【００４９】
図４にタイマ撮影プロファイル（２１２）のデータ構成を示す。タイマ撮影プロファイル（２１２）は、タイマ（２１６）による撮影トリガが発生した時に撮影する撮影画像サイズ（４０１）と、タイマ（２１６）の撮影トリガタイミングの設定情報（４０２）、そしてタイマによる撮影画像の蓄積モード（４１２）、メールモード（４１６）、ＦＴＰモード（４２０）、で構成される。
【００５０】
撮影画像サイズ（４０１）は、撮影画像サイズの情報であることを示すタイプ情報（４０３）と、情報長（４０４）と、水平画素数（４０５）と、垂直画素数（４０６）で構成される。水平画素数（４０５）と垂直画素数（４０６）は、ベース部（１０１）に接続したいずれかのカメラヘッドのプロファイルデータ（２０３）に記載されている撮影可能ないずれかの画素数から選択してこの撮影画素サイズ（４０１）に設定する。
【００５１】
時間設定（４０２）は、時間設定の情報であることを示すタイプ情報（４０７）と、情報長（４０８）と、タイマ（２１６）による撮影の開始時間を示すタイマ撮影開始時間（４０９）と、タイマ（２１６）による撮影の終了時間を示すタイマ撮影終了時間（４１０）と、タイマ（２１６）による撮影の撮影間隔を示す撮影時間間隔（４１１）、で構成される。
【００５２】
この時間設定の例として、タイマ撮影開始時間（４０９）に１０時００分、タイマ撮影終了時間に１４時３０分、撮影時間間隔（４１１）に５０分、と設定すると、本ネットワークカメラは、１０時００分、１０時５０分、１１時４０分、１２時３０分、１３時２０分、１４時１０分、の時刻に撮影画像サイズ（４０１）のタイマー撮影動作を実行する。
【００５３】
蓄積モード（４１３）は、タイマによる撮影画像を蓄積するか否かの設定と、蓄積する場所の設定の情報を示す。
【００５４】
本ネットワークカメラでは、情報値４１５が０の時は蓄積しない設定、情報値４１５が１の時はメモリ２に蓄積する設定、情報値４１５が２の時はＳＤメモリカードに蓄積する設定、情報値４１５が３の時はＣＦメモリカードに蓄積する設定、と判定する。
【００５５】
本実施例では情報値が２で、ＳＤメモリカードに蓄積する、と設定されている例で説明する。
【００５６】
メールモード（４１６）はタイマによる撮影画像をメールに添付データとして付加して送信するか否かの設定と、送信先メールアドレスの指定情報を示している。
【００５７】
メールモードの１つ目の情報（４１９）はメール送信するか否かを示す情報が設定される。ここにメール送信しない、と設定してある場合は、本メールモードの情報は終了し、メール送信する、と設定してある場合は、つづいて送信先のメールアドレスを示す情報が１つもしくは複数つづく。
【００５８】
メールアドレスは、本ネットワークカメラが備えているアドレス帳に予め操作者によって設定されているメールアドレスの参照番号を情報として設定する。
【００５９】
ＦＴＰモード（４２０）はタイマによる撮影画像を予め設定してあるインターネット上のサーバーにＦＴＰデータ転送するか否かの設定を示している。
【００６０】
ＦＴＰサーバーの情報は、操作者によって予め初期設定情報として設定されており、ここではその設定アドレスへのＦＴＰ転送をするか否かだけを設定する。
【００６１】
本実施例では、ＦＴＰ転送はしない、という設定で説明する。
【００６２】
図５にセンサー撮影プロファイル（２１３）のデータ構成を示す。センサー撮影プロファイル（２１３）は、外部トリガ入力（１０８）に接続したセンサーによる撮影トリガが発生した時に撮影する撮影画像サイズ（５０１）と、外部トリガ検出部（２１８）のセンサー入力信号判定基準であるトリガ設定（５０２）、そしてタイマ撮影プロファイル（２１２）と同様な、蓄積モード（５１２）、メールモード（５１６）、ＦＴＰモード（５２２）、で構成される。
【００６３】
撮影画像サイズ（５０１）は、撮影画像サイズの情報であることを示すタイプ情報（５０３）と、情報長（５０４）と、水平画素数（５０５）と、垂直画素数（５０６）で構成される。水平画素数（５０５）と垂直画素数（５０６）は、ベース部（１０１）に接続したいずれかのカメラヘッドのプロファイルデータ（２０３）に記載されている撮影可能な画素数からいずれかを選択してこの撮影画素サイズ（５０１）に設定する。
【００６４】
トリガ設定（５０２）は、トリガ設定の情報であることを示すタイプ情報（５０７）と、情報長（５０８）と、外部トリガ入力（１０８）に接続した信号のトリガ発生時のロジックレベルの論理を設定するトリガ論理（５０９）と、前記トリガ発生時の信号パターンのエッジタイミングで有効タイミングとするかレベル状態で有効とするかを設定する判定モード（５１０）と、前記トリガが複数回発生した時に、撮影を最初のトリガ発生時の１回だけ実行するのか、トリガ発生毎に毎回撮影するのかを設定する繰り返しモード（５１１）、で構成される。
【００６５】
トリガ設定（５０７）に設定したトリガが外部トリガ入力（１０８）に入力されると、本ネットワークカメラは撮影画像サイズ（５０３）のトリガ撮影動作を実行する。
【００６６】
蓄積モード（５１２）は、センサーによる撮影画像を蓄積するか否かの設定と、蓄積する場所の設定の情報を示す。
【００６７】
本ネットワークカメラでは、情報値５１５が０の時は蓄積しない設定、情報値５１５が１の時はメモリ２に蓄積する設定、情報値５１５が２の時はＳＤメモリカードに蓄積する設定、情報値５１５が３の時はＣＦメモリカードに蓄積する設定、と判定する。
【００６８】
本実施例では情報値が０で、蓄積しないと設定されている例で説明する。
【００６９】
メールモード（５１７）はセンサーによる撮影画像をメールに添付データとして付加して送信するか否かの設定と、送信先メールアドレスの指定情報を示している。
【００７０】
メールモードの１つ目の情報（５１９）はメール送信するか否かを示す情報が設定される。ここにメール送信しない、と設定してある場合は、本メールモードの情報は終了し、メール送信する、と設定してある場合は、つづいて送信先のメールアドレスを示す情報が１つもしくは複数つづく。
【００７１】
メールアドレスは、本ネットワークカメラが備えているアドレス帳データに予め操作者によって設定されているメールアドレスの参照番号を情報として設定する。
【００７２】
本実施例では、メールアドレス１（５２０）とメールアドレス２（５２１）の２つのメールアドレス参照番号が設定してある例で説明する。
【００７３】
ＦＴＰモード（５２３）はセンサーによる撮影画像を予め設定してあるインターネット上のサーバーにＦＴＰデータ転送するか否かの設定を示している。
【００７４】
ＦＴＰサーバーの情報は、操作者によって予め初期設定情報として設定されており、ここではその設定アドレスへのＦＴＰ転送をするか否かだけを設定する。
【００７５】
本実施例では、ＦＴＰ転送はしない、という設定で説明する。
【００７６】
次に、本発明によるネットワークカメラのタイマー撮影動作の設定操作を図６を用いて説明する。
【００７７】
まず操作者が操作部（２１４）を操作してタイマー撮影の設定モードに入ると、本ネットワークカメラはタイマー撮影のＯＮ／ＯＦＦの設定状態（Ｓ１）になり、このとき操作者がタイマー撮影をＯＦＦに設定すると本処理は終了する。
【００７８】
操作者がタイマー撮影をＯＮに設定すると、制御部２（２１０）はカメラヘッド（１０２）の制御部１（２０１）にプロファイルデータ（２０３）の読み出しを指示する。
【００７９】
すると制御部１（２０１）はメモリ１（２０２）からプロファイルデータ（２０３）を読み出して制御部２（２１０）に転送し、制御部２（２１０）は転送されたプロファイルデータから、前述の画素数に関する情報（３０３）を取得する（Ｓ２）。
【００８０】
そして制御部２（２１０）は、取得した画素数に関する情報（３０３）から最小の画像サイズを読み出して、タイマ撮影プロファイル（２１２）の水平画素数（４０５）および垂直画素数（４０６）の値に上書き設定（Ｓ３）する。
【００８１】
そして制御部２（２１０）は、画像サイズの設定入力（Ｓ４）、開始時間と終了時間の設定入力（Ｓ６）と、撮影間隔の設定入力（Ｓ８）、蓄積設定（Ｓ１０）、メール設定（Ｓ１２）、ＦＴＰ設定（Ｓ１４）、の各入力操作待ちを繰り返す。
【００８２】
操作者が画像サイズの入力操作をする（Ｓ４）と、制御部２（２１０）は操作部（２１４）から入力された値に従って、タイマ撮影プロファイル（２１２）の水平画素数（４０５）と垂直画素数（４０６）の値を上書き設定（Ｓ５）する。
【００８３】
操作者が開始終了時間の入力操作をする（Ｓ６）と、制御部２（２１０）は操作部（２１４）から入力された値に従って、タイマ撮影プロファイル（２１２）のタイマ撮影開始時間（４０９）とタイマ撮影終了時間（４１０）の値を設定（Ｓ７）する。
【００８４】
操作者が撮影間隔の入力操作をする（Ｓ８）と、制御部２（２１０）は操作部（２１４）から入力された値に従って、タイマ撮影プロファイル（２１２）の撮影時間間隔（４１１）の値を設定（Ｓ７）する。
【００８５】
また、操作者がタイマ撮影時の撮影画像をメモリに蓄積するかどうかを設定する蓄積設定の入力操作をする（Ｓ１０）と、制御部２（２１０）は操作部から入力された値に従って、タイマ撮影プロファイル（２１２）の蓄積モード（４１２）の値を設定（Ｓ１１）する。
【００８６】
操作者がタイマ撮影時の撮影画像をメール送信するかどうかを設定するメール設定の入力操作をする（Ｓ１２）と、制御部２（２１０）は操作部から入力された値に従って、タイマ撮影プロファイル（２１２）のメールモード（４１６）の値を設定（Ｓ１３）する。
【００８７】
操作者がタイマ撮影時の撮影画像をＦＴＰ転送するかどうかを設定するＦＴＰ設定の入力操作をする（Ｓ１４）と、制御部２（２１０）は操作部から入力された値に従って、タイマ撮影プロファイル（２１２）のＦＴＰモード（４２０）の値を設定（Ｓ１５）する。
【００８８】
操作者が設定操作終了の操作をすると（Ｓ１６）、設定された値に従って作成したタイマ撮影プロファイル（２１２）をメモリ２（２１１）に保管し（１７）、設定されたタイマ撮影プロファイル（２１２）に従って制御部２（２１０）がタイマ（２１６）の動作設定を行い（Ｓ１８）、設定を終了する。
【００８９】
続いて、本発明によるネットワークカメラのセンサー撮影動作の設定操作を図７を用いて説明する。
【００９０】
まず操作者が操作部（２１４）を操作してセンサー撮影の設定モードに入ると、本ネットワークカメラはセンサー撮影のＯＮ／ＯＦＦの設定状態（Ｓ２１）になり、このとき操作者がセンサー撮影をＯＦＦに設定すると本処理は終了する。
【００９１】
操作者がセンサー撮影をＯＮに設定すると、制御部２（２１０）はカメラヘッド（１０２）の制御部１（２０１）にプロファイルデータ（２０３）の読み出しを指示する。
【００９２】
すると制御部１（２０１）はメモリ１（２０２）からプロファイルデータ（２０３）を読み出して制御部２（２１０）に転送し、制御部２（２１０）は転送されたプロファイルデータから、前述の画素数に関する情報（３０３）を取得する（Ｓ２２）。
【００９３】
そして制御部２（２１０）は、取得した画素数に関する情報（３０３）から最大の画像サイズを読み出して、センサー撮影プロファイル（２１３）の水平画素数（５０５）および垂直画素数（５０６）の値に上書き設定（Ｓ２３）する。
【００９４】
そして制御部２（２１０）は、画像サイズの設定入力（Ｓ２４）、トリガ論理の設定入力（Ｓ２６）と、判定モードの設定入力（Ｓ２８）、繰返しモードの設定入力（Ｓ３０）、蓄積設定（Ｓ３２）、メール設定（Ｓ３４）、ＦＴＰ設定（Ｓ３６）、の各入力操作待ちを繰り返す。
【００９５】
操作者が画像サイズの入力操作をする（Ｓ２４）と、制御部２（２１０）は操作部（２１４）から入力された値に従って、センサー撮影プロファイル（２１３）の水平画素数（５０５）と垂直画素数（５０６）の値を上書き設定（Ｓ２５）する。
【００９６】
操作者がトリガ論理設定の入力操作をする（Ｓ２６）と、制御部２（２１０）は操作部（２１４）から入力された値に従って、センサー撮影プロファイル（２１３）のトリガ論理（５０９）の値を設定（Ｓ２７）する。
【００９７】
操作者が判定モードの入力操作をする（Ｓ２８）と、制御部２（２１０）は操作部（２１４）から入力された値に従って、トリガ撮影プロファイル（２１３）の判定モード（５１０）の値を設定（Ｓ２９）する。
【００９８】
操作者が繰返しモードの入力操作をする（Ｓ３０）と、制御部２（２１０）は操作部（２１４）から入力された値に従って、トリガ撮影プロファイル（２１３）の繰返しモード（５１１）の値を設定（Ｓ３１）する。
【００９９】
また、操作者がトリガ撮影時の撮影画像をメモリに蓄積するかどうかを設定する蓄積設定の入力操作をする（Ｓ３２）と、制御部２（２１０）は操作部から入力された値に従って、トリガ撮影プロファイル（２１３）の蓄積モード（５１２）の値を設定（Ｓ３３）する。
【０１００】
操作者がトリガ撮影時の撮影画像をメール送信するかどうかを設定するメール設定の入力操作をする（Ｓ３４）と、制御部２（２１０）は操作部から入力された値に従って、トリガ撮影プロファイル（２１３）のメールモード（５１６）の値を設定（Ｓ３３）する。
【０１０１】
操作者がトリガ撮影時の撮影画像をＦＴＰ転送するかどうかを設定するＦＴＰ設定の入力操作をする（Ｓ３６）と、制御部２（２１０）は操作部から入力された値に従って、トリガ撮影プロファイル（２１３）のＦＴＰモード（５２２）の値を設定（Ｓ３７）する。
【０１０２】
操作者が設定操作終了の操作をすると（Ｓ３８）、設定した値に従ったセンサー撮影プロファイル（２１３）を作成してメモリ２（２１１）に保管し（Ｓ３９）、設定されたセンサー撮影プロファイル（２１３）に従って制御部２（２１０）が外部トリガ検出部（２１８）からの割込み検出のモードを設定（Ｓ４０）して、設定動作を終了する。
【０１０３】
タイマ撮影の設定とセンサー撮影の設定はどちらかのみの設定でも良いし、両方の設定を同時に行うことも出来る。
【０１０４】
上述のように撮影トリガに関する設定を行った後、操作者が撮影スタート操作を行うと、本ネットワークカメラは撮影待機状態になる。この撮影待機状態の動作を図８を用いて説明する。
【０１０５】
操作者により本ネットワークカメラの撮影スタート操作がされると、まず制御部２（２１０）はタイマ（２１６）の動作をスタート（Ｓ５１）させる。
【０１０６】
そして外部トリガ検出部（２１８）がトリガ検出したかを調べ（Ｓ５２）、検出して無ければ続いてタイマ（２１６）がタイマ割込みを通知していないか（Ｓ５３）を調べ、タイマ割込みも通知して無ければ、操作者によるストップ操作がされるまで（Ｓ５４）このトリガ検出の判定処理Ｓ５２とタイマ割込みの判定処理Ｓ５３を繰り返す。
【０１０７】
トリガ検出の判定処理Ｓ５２で外部トリガ入力（１０８）に接続したセンサーがＯＮになって外部トリガ判定部（２１８）からの割り込みを検出すると、制御部２（２１０）はセンサー撮影プロファイル（２１３）に従って、撮影画像サイズ（５０１）の設定を制御部１（２０１）を経由して画像圧縮部（２０８）に設定し、制御部１（２０１）に撮影動作を指示して撮影を行い、撮影した画像を画像圧縮部（２０７）において予め設定された撮影画像サイズの画像データにＪＰＥＧ圧縮し、制御部１（２０１）経由でメモリ２（２１１）に蓄積する（Ｓ５５）。
【０１０８】
つづいて制御部２（２１０）は、予め用意してあるメッセージに、メモリ２（２１１）に蓄積してある画像データを添付ファイルとして添付したメールを作成する（Ｓ５６）。
【０１０９】
そして制御部２（２１０）はＣＦカードインタフェース（２１７）経由でＣＦ通信カード（１０５）を制御して、予め設定してあるアクセスポイントに発信して接続し、アクセスポイント経由で予め設定してあるインターネット上のメールサーバーに対して作成したメールを送信し、メモリ２（２１１）に残っている画像データを削除する（Ｓ５７）。
【０１１０】
送信が完了すると、処理Ｓ５４の操作者のストップ待ち判定に戻る。
【０１１１】
次に、タイマ撮影プロファイル（２１２）に従って設定されたタイマ（２１６）から割り込みが発生すると、制御部２（２１０）はタイマ撮影プロファイル（２１２）に従って、撮影画像サイズ（４０１）の設定を制御部１（２０１）を経由して画像圧縮部（２０８）に設定し、制御部１（２０１）に撮影動作を指示して撮影を行い、撮影した画像を画像圧縮部（２０７）において設定された撮影画像サイズの画像データにＪＰＥＧ圧縮し、制御部１（２０１）経由でメモリ２（２１１）に蓄積する（Ｓ５８）。
【０１１２】
そして制御部２（２１０）は、ＳＤカードインタフェース（２１９）経由で、メモリ２（２１１）に保存してある画像データをＳＤメモリカード（１０９）に書き込み、メモリ２（２１１）内に残っている画像データを削除する（Ｓ５９）。
【０１１３】
ＳＤメモリカード（１０９）への書き込みが完了すると、再び処理Ｓ５４の操作者のストップ操作待ち判定に戻る。
【０１１４】
ここで、前述のメール送信処理（Ｓ５７）について、さらに詳しく説明する。
【０１１５】
本ネットワークカメラはアドレス帳機能を備えていて、操作者が操作部（２１４）から操作入力することで、予め複数のメールアドレスをアドレス帳に設定してメモリ２（２１１）内に蓄積保管しておくことが出来る。
【０１１６】
前述のタイマ撮影プロファイル（２１２）およびセンサー撮影プロファイル（２１３）のメールモード（４１７、５１７）に設定するメールアドレス参照番号とは、このアドレス帳に登録してあるメールアドレスの登録番号を示している。
【０１１７】
また、ネットワーク機能の初期設定情報として、アクセスポイントの電話番号、ＤＮＳサーバー名、メールサーバー名、ＦＴＰサーバー名、ユーザー名、ユーザーパスワード、を設定してメモリ２（２１１）に蓄積しておく。
【０１１８】
外部トリガ入力もしくはタイマによる撮影が実行されて、メール送信用のデータが生成されると、制御部２（２１０）は次の手順でメール送信を実行する。
【０１１９】
まず制御部２（２１０）はメモリ２（２１１）から予め設定されているアクセスポイントの電話番号を読み出し、カードインタフェース（２１７）に接続されているＰＨＳ通信カード（１０５）でアクセスポイントに電話を発信する。
【０１２０】
アクセスポイントが応答して回線が接続されたら、つづいてユーザー名とユーザーパスワードをアクセスポイントに送信して、アクセスポイント経由でインターネットに接続する。
【０１２１】
そしてインターネットに接続したら、上述のメール送信用データをメールサーバー宛てに送信し、送信が完了したらアクセスポイントとの接続を切断する。
【０１２２】
また本実施例の撮影プロファイル（２１２、２１３）はＦＴＰ転送しない例で説明しているが、ＦＴＰ転送を設定した場合はメール送信時と同様にして、次のようにデータ転送処理を行う。
【０１２３】
外部トリガ入力もしくはタイマによる撮影が実行されて、ＦＴＰ転送用の画像データが生成されると、制御部２（２１０）は次の手順でＦＴＰ転送を実行する。
【０１２４】
まず制御部２（２１０）はメモリ２（２１１）から予め設定されているアクセスポイントの電話番号を読み出し、カードインタフェース（２１７）に接続されているＰＨＳ通信カード（１０５）でアクセスポイントに電話を発信する。
【０１２５】
アクセスポイントが応答して回線が接続されたら、つづいてユーザー名とユーザーパスワードをアクセスポイントに送信して、アクセスポイント経由でインターネットに接続する。
【０１２６】
そしてインターネットに接続したら、ＦＴＰサーバーにユーザー名とユーザーパスワードを送信して認証接続し、認証接続されたら上述のＦＴＰ送信用の画像データをＦＴＰサーバー宛てに送信し、送信が完了したらアクセスポイントとの接続を切断する。
【０１２７】
（その他の実施例）
第１の実施例では、画像撮影部であるところのカメラヘッドをレンズ構成と画像圧縮部の異なる機種で説明したが、ＣＣＤの画素数だけが異なるカメラヘッドを交換するようにしても良いし、レンズ構成だけが異なる機種であってもよい。
【０１２８】
また、データ圧縮手段であるところの画像圧縮部は、動画像を撮影するＭＰＥＧ方式の画像圧縮部であってもよいし、その他のいずれの静止画もしくは動画の圧縮方式であってもよい。動画像を扱う場合は、画素数のほかに、フレームレートによる生成データ量の多少を選択肢としてもよい。
【０１２９】
また、複数の圧縮方式を備えている場合は、圧縮方式による生成データ量の多少を選択肢としてもよい。
【０１３０】
通信カードはＰＨＳだけでなく、ＰＤＣやＣＤＭＡといった携帯電話であっても良いし、有線のＰＳＴＮやＩＳＤＮであってもよく、さらに無線ＬＡＮや有線ＬＡＮであってもよい。
【０１３１】
ＬＡＮの場合は、前述のインターネットに接続する手順において、アクセスポイントへのＰＰＰ接続手順が不要になる。
【０１３２】
メモリ１およびメモリ２は、実施例のようにワークエリアと共有する方法でもよいし、独立した不揮発性のメモリを設けて情報を保管するようにしても良い。
【０１３３】
またタイマは実施例１ののうに独立した機能で実現するほかに、定期的に割込み信号を生成して、割込み信号によって起動されるソフトウエア処理によって時計機能を実現しても良い。
【０１３４】
トリガ検出手段は、外部トリガの入力によってだけではなく、光センサーや振動センサーなどを内蔵してトリガ検出してもよいし、外部のセンサーから無線方式でトリガ信号を受信するようにしてもよい。
【図面の簡単な説明】
【０１３５】
【図１】本発明によるネットワークカメラの外観図。
【図２】本発明によるネットワークカメラの内部ブロック図。
【図３】プロファイルデータの構成を詳細に示した図。
【図４】タイマ撮影プロファイルのデータ構成を示した図。
【図５】センサー撮影プロファイルのデータ構成を示した図。
【図６】タイマー撮影動作の設定操作フローを示した図。
【図７】センサー撮影動作の設定操作フローを示した図。
【図８】本ネットワークカメラの撮影待機状態のフローを示した図。
【符号の説明】
【０１３６】
１０２、１０３、１０４  画像撮影部であることころカメラヘッド
１０５  通信手段であるところのＰＨＳ通信カード
２０２  第１の記憶手段であるところのメモリ１
２０３  第１の設定情報であるところのプロファイルデータ
２０４  撮影手段の一部であるところのレンズ
２０５  撮影手段の一部であるであるところのＣＣＤ
２０８  データ圧縮手段であるところの画像圧縮部
２１１  第２の記憶手段であるところのメモリ２
２１２  第２の設定情報であるところのタイマ撮影プロファイル
２１３  第３の設定情報であるところのセンサー撮影プロファイル
２１６  タイマ手段であるところのタイマ
２１８  トリガ検出手段であるところの外部トリガ検出部
３０３  画像撮影部が生成可能な画像サイズの情報
【図１】
2005167694.tif 000003
【図２】
2005167694.tif 000004
【図３】
2005167694.tif 000005
【図４】
2005167694.tif 000006
【図５】
2005167694.tif 000007
【図６】
2005167694.tif 000008
【図７】
2005167694.tif 000009
【図８】
2005167694.tif 000010